(57)【要約】【課題】プリブランキング期間（以下、ＰＢ期間という）以外の通常期間中に信号振幅の劣化やノイズ量悪化などがなく、ＰＢ期間中およびＰＢ期間直後の誤動作を防止する。【解決手段】スイッチトキャパシタアンプ回路１に、スイッチ回路部５のスイッチ回路ＳＷ５１，５２と、バイアス回路部６のバイアス回路Ｖｒｅｆ６１を追加構成する。スイッチ回路ＳＷ１０２，１０３をパルス波形Ｄで制御して、プリブランキング期間（ＰＢ期間）中はオフ固定させ、ＰＢ期間以外の通常期間は、オン／オフしてサンプリング動作をする。また、スイッチ回路ＳＷ５１，５２をパルス波形Ｅで制御して、ＰＢ期間中はオン／オフしてサンプリング動作させ、ＰＢ期間以外の通常期間はオフ固定させる。スイッチ回路ＳＷ１０２，１０３，５１，５２をパルス波形Ｄ，Ｅにより制御し、ＰＢ期間中の予期せぬ過大入力信号の影響によるＰＢ期間中およびＰＢ期間直後の誤動作を防止する。【選択図】図１
2007124479.tif 000002
【特許請求の範囲】
【請求項１】
入力端子に直接接続され、前記入力端子から入力される入力信号波形に対してサンプリング動作及びアンプ動作を実行するスイッチトキャパシタアンプ回路を備えたＣＣＤカメラ用アナログ処理回路であって、
前記スイッチトキャパシタアンプ回路は、
通常期間中ではオン／オフすることで前記サンプリング動作を可能とし、プリブランキング期間中ではオフに固定される第１のスイッチ回路部と、
前記第１のスイッチ回路部の次段に配置されると共に、通常期間中ではオフに固定され、プリブランキング期間中ではオン／オフすることで前記サンプリング動作を可能とする第２のスイッチ回路部と
を具備することを特徴とするＣＣＤカメラ用アナログ信号処理回路。
【発明の詳細な説明】
【技術分野】
【０００１】
本発明は、カメラの撮像素子にＣＣＤを用いたデジタルスチルカメラ，ビデオカメラ，カメラ付き携帯電話，監視カメラなどにおけるアナログ信号処理回路であって、アナログ信号処理回路に要求されるプリブランキング期間中の予期せぬ過大入力信号の影響によるプリブランキング期間中およびプリブランキング期間直後の誤動作防止に有効なＣＣＤカメラ用アナログ信号処理回路に関するものである。
【背景技術】
【０００２】
従来のＣＣＤカメラ用アナログ信号処理回路は、図３に示したように構成されている。図３において、１のスイッチトキャパシタアンプ回路は、ＯＰ１０のオペアンプ回路、ＳＷ１０２〜ＳＷ１１２のスイッチ回路、Ｃ１２〜Ｃ１５の容量、Ｖｒｅｆ１１〜Ｖｒｅｆ１６のバイアス回路から構成される。２の黒レベルサンプルホールド回路は、ＳＷ２１のスイッチ回路、Ｃ２１の容量から構成される。３の入力ＤＣレベル回路は、Ｒ３１の抵抗、Ｖｒｅｆ３０のバイアス回路から構成される。また、ＳＷ１０のスイッチ回路は、入力端子４に直列に接続されている。
【０００３】
以上のように構成された従来のＣＣＤカメラ用アナログ信号処理回路について説明する。ＣＣＤカメラ用アナログ信号処理回路は、入力信号から所望の信号成分のみを抽出しかつ増幅するための回路であり、黒レベルサンプルホールド回路２は、図４に示す入力信号波形に対して、スイッチ回路を制御するパルス波形Ａのハイ期間中にオンすることで入力信号の基準レベル（黒レベル）をサンプルホールドする。
【０００４】
また、スイッチトキャパシタアンプ回路１は、図４に示す入力信号波形に対して、スイッチ回路ＳＷ１０２，１０３，１０５，１０６，１０７，１０８，１１１，１１２が、図４に示す制御信号のパルス波形Ｂのハイ期間中にオンすることでサンプリング動作をし、またスイッチ回路ＳＷ１０４，１０９，１１０が、図４に示す制御信号のパルス波形Ｃのハイ期間中にオンすることでアンプ動作をする。
【０００５】
図４に示すＶＯＰ，ＶＯＮ波形は、スイッチトキャパシタアンプ回路１のサンプリング動作とアンプ動作の一連の動作により入力信号波形から所望の信号成分のみ増幅したＣＣＤカメラ用アナログ信号処理回路の出力波形である。
【０００６】
また、図３の入力端子４に直列に接続されているスイッチ回路ＳＷ１０をプリブランキング期間中にオフさせることで、プリブランキング期間中の予期せぬ過大入力信号の影響によるＣＣＤカメラ用アナログ信号処理回路のプリブランキング期間中およびプリブランキング期間直後の誤動作を防止することを実現する。
【特許文献１】特開平５−３２８２３０号公報
【発明の開示】
【発明が解決しようとする課題】
【０００７】
しかしながら、このような構成のＣＣＤカメラ用アナログ信号処理回路では、プリブランキング期間中の予期せぬ過大入力信号の影響によるプリブランキング期間中およびプリブランキング期間直後の誤動作を防止する目的で図３に示す入力端子４に直列にスイッチ回路ＳＷ１０が挿入されている。
【０００８】
そのためプリブランキング期間以外の通常期間中に入力された信号は、スイッチ回路ＳＷ１０の抵抗成分と入力ＤＣレベル回路３の抵抗Ｒ３１との抵抗分割により信号振幅が劣化してしまう。かつ、スイッチ回路ＳＷ１０の抵抗成分がノイズ源となりノイズも悪化させることになるという２つの問題があった。
【０００９】
本発明は、前記従来技術の問題を解決することに指向するものであり、プリブランキング期間以外の通常期間中においても信号振幅の劣化やノイズ量悪化などをさせることなく、プリブランキング期間中およびプリブランキング期間直後の誤動作を防止するＣＣＤカメラ用アナログ信号処理回路を提供することを目的とする。
【課題を解決するための手段】
【００１０】
前記の目的を達成するために、本発明に係るＣＣＤカメラ用アナログ信号処理回路は、入力端子に直接接続され、入力端子から入力される入力信号波形に対してサンプリング動作及びアンプ動作を実行するスイッチトキャパシタアンプ回路を備えたＣＣＤカメラ用アナログ処理回路であって、スイッチトキャパシタアンプ回路は、通常期間中ではオン／オフすることでサンプリング動作を可能とし、プリブランキング期間中ではオフに固定される第１のスイッチ回路部と、第１のスイッチ回路部の次段に配置されると共に、通常期間中ではオフに固定され、プリブランキング期間中ではオン／オフすることでサンプリング動作を可能とする第２のスイッチ回路部とを具備することを特徴とする。
【００１１】
前記構成によれば、プリブランキング期間以外の通常期間中においても信号振幅の劣化やノイズ量悪化などをさせることなく、プリブランキング期間中の予期せぬ過大入力信号の影響によるプリブランキング期間中およびプリブランキング期間直後の誤動作の防止ができる。
【発明の効果】
【００１２】
本発明によれば、プリブランキング期間中の予期せぬ過大入力信号の影響によるプリブランキング期間中およびプリブランキング期間直後の誤動作防止が要求されるＣＣＤカメラ用アナログ信号処理回路において、プリブランキング期間以外の通常期間中においても信号振幅の劣化やノイズ量悪化などをさせることなくプリブランキング期間中およびプリブランキング期間直後の誤動作防止を実現することができるという効果を奏する。
【発明を実施するための最良の形態】
【００１３】
以下、図面を参照して本発明における実施の形態を詳細に説明する。
【００１４】
図１は本発明の実施の形態におけるＣＣＤカメラ用アナログ信号処理回路の構成を示す回路図である。ここで、前記従来例を示す図３において説明した構成部材に対応し同等の機能を有するものには同一の符号を付して示す。
【００１５】
図１において、１のスイッチトキャパシタアンプ回路は、オペアンプ回路ＯＰ１０、第１のスイッチ回路部であるスイッチ回路ＳＷ１０２，１０３、スイッチ回路ＳＷ１０４〜ＳＷ１１２、容量Ｃ１２〜Ｃ１５、バイアス回路Ｖｒｅｆ１１〜Ｖｒｅｆ１６、新たに追加された第２のスイッチ回路部としてＳＷ５１，５２のスイッチ回路からなるスイッチ回路部５およびＶｒｅｆ６１のバイアス回路からなるバイアス回路部６から構成される。
【００１６】
また、黒レベルサンプルホールド回路２は、スイッチ回路ＳＷ２１、容量Ｃ２１から構成され、入力ＤＣレベル回路３は、抵抗Ｒ３１、バイアス回路Ｖｒｅｆ３０から構成される。
【００１７】
以上のように構成されたＣＣＤカメラ用アナログ信号処理回路について、以下に説明する。本実施の形態において、入力信号から所望の信号成分のみを抽出しかつ増幅するという基本動作については、前述した従来の技術で説明したものと同じである。
【００１８】
一方、図２に示すようにプリブランキング期間中の予期せぬ過大入力信号の影響によるプリブランキング期間中およびプリブランキング期間直後の誤動作を防止するため本実施の形態では、まず図１のスイッチ回路ＳＷ１０２，１０３を制御手段（図示せず）から出力されるパルス波形Ｄで制御することによりプリブランキング期間中はオフ固定させる。ただし、プリブランキング期間以外の通常期間は、従来通りオン／オフすることでサンプリング動作をする。
【００１９】
次に、図１のスイッチ回路ＳＷ５１，５２を制御手段（図示せず）から出力されるパルス波形Ｅで制御することにより、プリブランキング期間中はオン／オフすることでサンプリング動作させる。ただし、プリブランキング期間以外の通常期間は、オフ固定させる。
【００２０】
以上のように、スイッチトキャパシタアンプ回路１に、スイッチ回路部５のスイッチ回路ＳＷ５１，５２と、バイアス回路部６のバイアス回路Ｖｒｅｆ６１を追加し、かつスイッチ回路ＳＷ１０２，１０３，５１，５２を図２のパルス波形Ｄ，Ｅで制御することにより、プリブランキング期間中の予期せぬ過大入力信号の影響によるプリブランキング期間中およびプリブランキング期間直後の誤動作を防止することができる。
【００２１】
ＣＣＤカメラ用アナログ信号処理回路において、プリブランキング期間以外の通常期間中においても信号振幅の劣化やノイズ量悪化などをさせることなく前述のプリブランキング期間中およびプリブランキング期間直後の誤動作防止を実現することができる。
【産業上の利用可能性】
【００２２】
本発明に係るＣＣＤカメラ用アナログ信号処理回路は、プリブランキング期間以外の通常期間中においても信号振幅の劣化やノイズ量悪化などをさせることなくプリブランキング期間中およびプリブランキング期間直後の誤動作防止を実現することができ、誤動作を防止するアナログ信号処理回路として有用である。
【図面の簡単な説明】
【００２３】
【図１】本発明のＣＣＤカメラ用アナログ信号処理回路を示す回路図
【図２】ＣＣＤカメラ用アナログ信号処理回路の過大入力信号発生時の動作を説明するタイミングチャート
【図３】従来のＣＣＤカメラ用アナログ信号処理回路を示す回路図
【図４】ＣＣＤカメラ用アナログ信号処理回路の動作を説明するタイミングチャート
【符号の説明】
【００２４】
１  スイッチトキャパシタアンプ回路
２  黒レベルサンプルホールド回路
３  入力ＤＣレベル回路
４  入力端子
５  スイッチ回路部
６  バイアス回路部
【図１】
2007124479.tif 000003
【図２】
2007124479.tif 000004
【図３】
2007124479.tif 000005
【図４】
2007124479.tif 000006